(57)【要約】【課題】受信中の複数の番組の内容をそれぞれ示す複数の音声信号を、精度良く短時間で比較する。【解決手段】第１の受信部１１は、第１の番組の放送を受信し、第１の音声信号を生成する。第２の受信部１２は、第１の番組の放送の受信感度が良好でない場合、第１の番組の放送を提供する第１の提供元とは異なる第２の提供元により提供された第２の番組の放送を受信し、第２の音声信号を生成する。決定部１３は、第１の番組情報と第２の番組情報とのうちの少なくとも一方に基づいて、比較条件を決定する。比較部１４は、決定部１３が決定した比較条件に基づいて、第１の音声信号と第２の音声信号とを比較する。再生部１５は、第２の番組の音声内容が第１の番組の音声内容と同じである場合、第１の音声信号に基づく音声に代えて、第２の音声信号に基づく音声を再生する。【選択図】図２
2014072678.tif 000002
【特許請求の範囲】
【請求項１】
第１の番組の放送を受信し、前記第１の番組の音声内容を表す第１の音声信号を生成する第１の受信部と、
前記第１の受信部による前記第１の番組の放送の受信感度が良好でない場合、前記第１の番組の放送を提供する放送局もしくはサービスである第１の提供元とは異なる放送局もしくはサービスである第２の提供元により提供された第２の番組の放送を受信し、前記第２の番組の音声内容を表す第２の音声信号を生成する第２の受信部と、
前記第１の番組に関する第１の番組情報と前記第２の番組に関する第２の番組情報とのうちの少なくとも一方に基づいて、比較条件を決定する決定部と、
前記決定部が決定した前記比較条件に基づいて、前記第１の音声信号と前記第２の音声信号とを比較し、前記第２の番組の音声内容が前記第１の番組の音声内容と同じであるか否かを示す比較結果を求める比較部と、
前記比較部が求めた前記比較結果が、前記第２の番組の音声内容が前記第１の番組の音声内容と同じであることを示す場合、前記第１の音声信号に基づく音声に代えて、前記第２の音声信号に基づく音声を再生する再生部と、を備える、
ことを特徴とする受信装置。
【請求項２】
前記比較条件は、前記第１の音声信号に基づく音声の再生タイミングと前記第２の音声信号に基づく音声の再生タイミングとの差の予測値を含む、
ことを特徴とする請求項１に記載の受信装置。
【請求項３】
前記比較条件は、前記第１の音声信号に基づく音声の音量と前記第２の音声信号に基づく音声の音量との比の予測値を含む、
ことを特徴とする請求項１又は２に記載の受信装置。
【請求項４】
前記第１の番組情報は、前記第１の音声信号に基づく音声の特徴を示す第１の特徴情報を含み、もしくは、前記第２の番組情報は、前記第２の音声信号に基づく音声の特徴を示す第２の特徴情報を含み、
前記比較条件は、前記第１の特徴情報もしくは前記第２の特徴情報に基づく比較条件を含む、
ことを特徴とする請求項１乃至３のいずれか１項に記載の受信装置。
【請求項５】
前記第１の番組の放送により送信される情報には、前記第１の番組情報が含まれ、もしくは、前記第２の番組の放送により送信される情報には、前記第２の番組情報が含まれる、
ことを特徴とする請求項１乃至４のいずれか１項に記載の受信装置。
【請求項６】
第１の番組の放送を受信し、前記第１の番組の音声内容を表す第１の音声信号を生成する第１の受信ステップと、
前記第１の受信ステップによる前記第１の番組の放送の受信感度が良好でない場合、前記第１の番組の放送を提供する放送局もしくはサービスである第１の提供元とは異なる放送局もしくはサービスである第２の提供元により提供された第２の番組の放送を受信し、前記第２の番組の音声内容を表す第２の音声信号を生成する第２の受信ステップと、
前記第１の番組に関する第１の番組情報と前記第２の番組に関する第２の番組情報とのうちの少なくとも一方に基づいて、比較条件を決定する決定ステップと、
前記決定ステップで決定した前記比較条件に基づいて、前記第１の音声信号と前記第２の音声信号とを比較し、前記第２の番組の音声内容が前記第１の番組の音声内容と同じであるか否かを示す比較結果を求める比較ステップと、
前記比較ステップで求めた前記比較結果が、前記第２の番組の音声内容が前記第１の番組の音声内容と同じであることを示す場合、前記第１の音声信号に基づく音声に代えて、前記第２の音声信号に基づく音声を再生する再生ステップと、を備える、
ことを特徴とする受信制御方法。
【発明の詳細な説明】
【技術分野】
【０００１】
本発明は、受信装置、及び、受信制御方法に関する。
【背景技術】
【０００２】
選択中の放送局もしくは選択中のサービスにより提供された番組の受信中に受信感度が悪化した場合に、他の放送局もしくは他のサービスにより提供された番組であって、受信中の番組と同じ音声内容の番組を受信することにより、安定した音声の再生を実現する技術が知られている。
【０００３】
例えば、特許文献１には、第１の放送を受信する受信部（以下「第１の受信部」という。）と第２の放送を受信する受信部（以下「第２の受信部」という。）とのうち、選択された受信部から出力される音声信号に基づいて音声を再生する受信機が開示されている。この受信機は、第１の受信部から出力される音声信号のパターンと第２の受信部から出力される音声信号のパターンとが一致する場合に、第１の放送と第２の放送とが同様の放送内容であると判定する。
【先行技術文献】
【特許文献】
【０００４】
【特許文献１】特開平８−１３０４８８号公報
【発明の概要】
【発明が解決しようとする課題】
【０００５】
ここで、特許文献１には、２つの音声信号のパターンを比較する具体的な方法は開示されていないが、精度の良い比較結果を得るためには、長い時間を要することが一般的である。一方、比較処理のために要する時間は、短いほど望ましい。そこで、比較結果の精度を維持しつつ、比較処理に要する時間をできるだけ減らしたいという要望がある。
【０００６】
本発明は、このような状況に鑑みてなされたものであり、受信中の複数の番組の内容をそれぞれ示す複数の音声信号を、精度良く短時間で比較することが可能な受信装置、及び、受信制御方法を提供することを目的とする。
【課題を解決するための手段】
【０００７】
上記目的を達成するために、本発明の第１の観点に係る受信装置は、
第１の番組の放送を受信し、前記第１の番組の音声内容を表す第１の音声信号を生成する第１の受信部と、
前記第１の受信部による前記第１の番組の放送の受信感度が良好でない場合、前記第１の番組の放送を提供する放送局もしくはサービスである第１の提供元とは異なる放送局もしくはサービスである第２の提供元により提供された第２の番組の放送を受信し、前記第２の番組の音声内容を表す第２の音声信号を生成する第２の受信部と、
前記第１の番組に関する第１の番組情報と前記第２の番組に関する第２の番組情報とのうちの少なくとも一方に基づいて、比較条件を決定する決定部と、
前記決定部が決定した前記比較条件に基づいて、前記第１の音声信号と前記第２の音声信号とを比較し、前記第２の番組の音声内容が前記第１の番組の音声内容と同じであるか否かを示す比較結果を求める比較部と、
前記比較部が求めた前記比較結果が、前記第２の番組の音声内容が前記第１の番組の音声内容と同じであることを示す場合、前記第１の音声信号に基づく音声に代えて、前記第２の音声信号に基づく音声を再生する再生部と、を備える、
ことを特徴とする。
【０００８】
前記比較条件は、前記第１の音声信号に基づく音声の再生タイミングと前記第２の音声信号に基づく音声の再生タイミングとの差の予測値を含んでもよい。
【０００９】
前記比較条件は、前記第１の音声信号に基づく音声の音量と前記第２の音声信号に基づく音声の音量との比の予測値を含んでもよい。
【００１０】
前記第１の番組情報は、前記第１の音声信号に基づく音声の特徴を示す第１の特徴情報を含み、もしくは、前記第２の番組情報は、前記第２の音声信号に基づく音声の特徴を示す第２の特徴情報を含み、
前記比較条件は、前記第１の特徴情報もしくは前記第２の特徴情報に基づく比較条件を含んでもよい。
【００１１】
前記第１の番組の放送により送信される情報には、前記第１の番組情報が含まれ、もしくは、前記第２の番組の放送により送信される情報には、前記第２の番組情報が含まれてもよい。
【００１２】
上記目的を達成するために、本発明の第２の観点に係る受信制御方法は、
第１の番組の放送を受信し、前記第１の番組の音声内容を表す第１の音声信号を生成する第１の受信ステップと、
前記第１の受信ステップによる前記第１の番組の放送の受信感度が良好でない場合、前記第１の番組の放送を提供する放送局もしくはサービスである第１の提供元とは異なる放送局もしくはサービスである第２の提供元により提供された第２の番組の放送を受信し、前記第２の番組の音声内容を表す第２の音声信号を生成する第２の受信ステップと、
前記第１の番組に関する第１の番組情報と前記第２の番組に関する第２の番組情報とのうちの少なくとも一方に基づいて、比較条件を決定する決定ステップと、
前記決定ステップで決定した前記比較条件に基づいて、前記第１の音声信号と前記第２の音声信号とを比較し、前記第２の番組の音声内容が前記第１の番組の音声内容と同じであるか否かを示す比較結果を求める比較ステップと、
前記比較ステップで求めた前記比較結果が、前記第２の番組の音声内容が前記第１の番組の音声内容と同じであることを示す場合、前記第１の音声信号に基づく音声に代えて、前記第２の音声信号に基づく音声を再生する再生ステップと、を備える、
ことを特徴とする。
【発明の効果】
【００１３】
本発明によれば、受信中の複数の番組の内容をそれぞれ示す複数の音声信号を、精度良く短時間で比較することができる。
【図面の簡単な説明】
【００１４】
【図１】本発明の実施形態に係る受信装置のハードウェア構成を示すブロック図である。
【図２】本発明の実施形態に係る受信装置の機能的な構成を示すブロック図である。
【図３】番組情報の構成を示す図である。
【図４】比較条件を示す図である。（Ａ）は、プログラムタイプとキャプチャ時間との関係を示す図である。（Ｂ）は、エンコードタイプと遅延時間の初期値との関係を示す図である。（Ｃ）は、プログラムタイプとタイムアウト時間との関係を示す図である。（Ｄ）は、プログラムタイプと成功判断要素との関係を示す図である。（Ｅ）は、プログラムタイプと試行回数との関係を示す図である。（Ｆ）は、エンコードタイプと試行回数との関係を示す図である。
【図５】（Ａ）は、デジタル音声信号を示す図である。（Ｂ）は、調整前のＦＭ音声信号を示す図である。
【図６】（Ａ）は、遅延時間の調整後のＦＭ音声信号を示す図である。（Ｂ）は、遅延時間及び音量の調整後のＦＭ音声信号を示す図である。
【図７】本発明の実施形態に係る受信装置が実行する受信制御処理を示すフローチャートである。
【図８】図７に示す比較条件決定処理を示すフローチャートである。
【図９】図７に示す比較処理を示すフローチャートである。
【発明を実施するための形態】
【００１５】
以下、図面を参照して、本発明の実施形態に係る受信装置について説明する。
【００１６】
まず、図１を参照して、本実施形態に係る受信装置１００の構成について説明する。なお、本発明が適用される受信装置は、図１に示す受信装置１００に限られない。例えば、受信装置１００に種々の構成要素が組み込まれた装置に本発明が適用されてもよいし、受信装置１００から適宜、構成要素が除外された装置に本発明が適用されてもよい。また、受信装置１００が備える構成要素の個数は、図１に示す例に限られない。
【００１７】
受信装置１００は、複数の変調方式によるラジオ放送を同時に受信することが可能な受信装置である。受信装置１００が復調可能な変調方式は、ＡＭ（Amplitude Modulation）変調やＦＭ（Frequency Modulation）などのアナログ変調であってもよいし、ＤＡＢ（Digital Audio Broadcast）、ＤＡＢ＋（Digital Audio Broadcast Plus）、ＤＭＢ（Digital Multimedia Broadcasting）などの規格に対応したデジタル変調であってもよい。本実施形態では、受信装置１００は、ＦＭ変調されたラジオ放送と、ＤＡＢ規格、ＤＡＢ＋規格、ＤＭＢ規格により変調されたラジオ放送との双方を同時に、受信および復調可能であるものとする。
【００１８】
図１に示すように、受信装置１００は、ＦＭアンテナ１０１、ＦＭチューナ１０２、オーディオバッファ１０３、デジタルアンテナ１０４、デジタルチューナ１０５、デジタルデコーダ１０６、オーディオバッファ１０７、コンパレータ１０８、オーディオスイッチ１０９、コントローラ１１０、スピーカ１１５、を備える。
【００１９】
ＦＭアンテナ１０１は、ＦＭ変調された電波を受信し、受信した電波を電気信号に変換する。
【００２０】
ＦＭチューナ１０２は、ＦＭアンテナ１０１から供給された電気信号から、指定された受信周波数に対応する電気信号を抽出し、抽出した電気信号を復調する。ＦＭチューナ１０２は、抽出した電気信号の復調により、ＦＭ音声信号とＲＤＳ（Radio Data System）情報とを生成する。
【００２１】
ＦＭ音声信号は、選局中の放送局（受信周波数に対応する放送局）が放送したラジオ番組の音声の内容を示す信号である。ＲＤＳ情報は、選局中の放送局、放送中の番組、放送中の楽曲の曲名などの様々な情報を示す信号である。
【００２２】
オーディオバッファ１０３は、ＦＭチューナ１０２から供給されたＦＭ音声信号を、指定された増幅率（減衰率）に従って増幅（減衰）させ、さらに、指定された時間だけ遅延させてから出力する。従って、オーディオバッファ１０３は、増幅回路（減衰回路）と遅延回路とを備える。なお、増幅率や遅延時間は、コンパレータ１０８から供給される補正データにより指定される。
【００２３】
デジタルアンテナ１０４は、ＤＡＢ規格、ＤＡＢ＋規格、ＤＭＢ規格などによりデジタル変調された電波を受信し、受信した電波を電気信号に変換する。
【００２４】
デジタルチューナ１０５は、デジタルアンテナ１０４から供給された電気信号から、指定されたサービスに対応する電気信号を抽出し、抽出した電気信号を復調する。デジタルチューナ１０５は、抽出した電気信号の復調により、デジタルＩＦ（Interface）信号を生成する。
【００２５】
デジタルデコーダ１０６は、デジタルチューナ１０５から供給されたデジタルＩＦ信号を復号化し、デジタル音声信号とサービス関連情報とを生成する。
【００２６】
デジタル音声信号は、指定されたサービスにより提供された番組の音声内容を示す信号である。サービス関連情報は、エンコードタイプやプログラムタイプなど、指定されたサービスに関する様々な情報である。
【００２７】
オーディオバッファ１０７は、デジタルデコーダ１０６から供給されたデジタル音声信号を、指定された増幅率（減衰率）に従って増幅（減衰）させ、さらに、指定された時間だけ遅延させてから出力する。従って、オーディオバッファ１０７は、増幅回路（減衰回路）と遅延回路とを備える。なお、増幅率や遅延時間は、コンパレータ１０８から供給される補正データにより指定される。
【００２８】
コンパレータ１０８は、オーディオバッファ１０３から供給される補正後のＦＭ音声信号と、オーディオバッファ１０７から供給される補正後のデジタル音声信号とを、コントローラ１１０から供給される比較条件に従って比較する。また、コンパレータ１０８は、比較条件に基づいて、増幅率や遅延時間を求め、補正データとして、オーディオバッファ１０３やオーディオバッファ１０７に供給する。そして、コンパレータ１０８は、比較結果をコントローラ１１０に供給する。なお、比較結果は、ＦＭ音声信号とデジタル音声信号とが同じ音声内容を表す信号であるか否か、同じ音声内容である場合に音量の比がどの程度であるか、同じ音声内容である場合に時間差がどの程度であるか、などである。
【００２９】
オーディオスイッチ１０９は、コントローラ１１０から供給された切替指示信号に従って、オーディオバッファ１０３から供給された補正後のＦＭ音声信号と、オーディオバッファ１０７から供給された補正後のデジタル音声信号とのうちいずれかをスピーカ１１５に供給する。
【００３０】
コントローラ１１０は、受信装置１００の全体の動作を制御する。コントローラ１１０は、ＣＰＵ（Central Processing Unit）１１１、ＲＯＭ（Read Only Memory）１１２、ＲＡＭ（Random Access Memory）１１３、インターフェース１１４などを備える。コントローラ１１０が備えるこれらの構成要素は、バスにより相互に接続される。
【００３１】
ＣＰＵ１１１は、コントローラ１１０の全体の動作を制御する。なお、ＣＰＵ１１１は、ＲＯＭ１１２に格納されているプログラムに従って動作し、ＲＡＭ１１３をワークエリアとして使用する。
【００３２】
ＲＯＭ１１２には、コントローラ１１０の全体の動作を制御するためのプログラムやデータが記憶される。
【００３３】
ＲＡＭ１１３は、ＣＰＵ１１１のワークエリアとして機能する。つまり、ＣＰＵ１１１は、ＲＡＭ１１３にプログラムやデータを一時的に書き込み、これらのプログラムやデータを適宜参照する。
【００３４】
インターフェース１１４は、ユーザからの操作入力を受け付ける。なお、インターフェース１１４は、無線通信や有線通信により、外部の装置と、各種のデータやコマンドを通信してもよい。インターフェース１１４は、例えば、タッチスクリーンや通信モジュールにより構成される。
【００３５】
コントローラ１１０は、ＲＯＭ１１２に予め記憶されているプログラムやインターフェース１１４が受け付けたユーザなどの指示に従って、ＦＭチューナ１０２に指定する受信周波数やデジタルデコーダ１０６に指定するサービスを決定する。また、コントローラ１１０は、ＦＭチューナ１０２から供給されたＲＤＳ情報とデジタルデコーダ１０６から供給されたサービス関連情報とに基づいて、比較条件を決定し、決定した比較条件をコンパレータ１０８に供給する。さらに、コントローラ１１０は、コンパレータ１０８から供給される比較結果に基づいて、オーディオスイッチ１０９に切替指示信号を供給する。
【００３６】
スピーカ１１５は、オーディオスイッチ１０９から供給された音声信号に従って、音声を出力する。スピーカ１１５は、Ｄ／Ａ（Digital/Analog）コンバータやアンプを備えていてもよい。
【００３７】
次に、図２を参照して、本実施形態に係る受信装置１００の基本的な機能について説明する。図２は、受信装置１００の機能的な構成を示す機能ブロック図である。図２に示すように、受信装置１００は、機能的には、第１の受信部１１、第２の受信部１２、決定部１３、比較部１４、再生部１５、を備える。
【００３８】
なお、受信装置１００の構成は、図２に示す例に限定されない。例えば、受信装置１００は、図２に示されていない構成要素を備えていてもよいし、図２に示す構成要素の一部を備えていなくてもよい。また、複数の構成要素の間で授受される情報は、図２において矢印で示すものに限定されない。従って、受信装置１００は、図２において矢印で示されていない情報を授受してもよいし、図２において矢印で示した情報の一部を授受しなくてもよい。
【００３９】
第１の受信部１１は、第１の番組の放送を受信し、第１の番組の音声内容を表す第１の音声信号を生成する。第１の番組は、例えば、デジタル放送により放送された番組であって、指定されたサービスにより供給される番組である。第１の受信部１１は、例えば、デジタルアンテナ１０４、デジタルチューナ１０５、デジタルデコーダ１０６を含む。
【００４０】
第２の受信部１２は、第１の受信部１１による第１の番組の放送の受信感度が良好でなくなった場合（例えば、受信装置１００が走行中の車両などに搭載されている状態において、車両の移動に伴って第１の番組の放送の受信可能エリアを外れそうになった場合など）、第１の供給元とは異なる第２の供給元により供給された第２の番組を受信する。ここで、第１の供給元は、第１の番組を供給する放送局もしくはサービスである。また、第２の供給元は、第２の番組を供給する放送局もしくはサービスである。第２の受信部１２は、第２の番組の音声内容を表す第２の音声信号を生成する。第２の受信部１２は、例えば、ＦＭアンテナ１０１、ＦＭチューナ１０２を含む。
【００４１】
なお、第１の供給元から第１の番組とともに供給されるサービス関連情報に、第１の番組と第２の番組とを関連付ける情報が含まれている場合がある。この場合は、この情報を用いて第２の供給元により供給された第２の番組を特定し、受信するようにしても良い。
【００４２】
決定部１３は、第１の番組に関する第１の番組情報と第２の番組に関する第２の番組情報とのうちの少なくとも一方に基づいて、比較条件を決定する。第１の番組情報は、例えば、サービス関連情報である。第２の番組情報は、例えば、ＲＤＳ情報である。決定部１３は、例えば、コントローラ１１０を含む。
【００４３】
比較部１４は、決定部１３が決定した比較条件に基づいて、第１の音声信号と第２の音声信号とを比較し、第２の番組の音声内容が第１の番組の音声内容と同じであるか否かを示す比較結果を求める。比較部１４は、例えば、コンパレータ１０８を含む。
【００４４】
再生部１５は、比較部１４が求めた比較結果が、第２の番組の音声内容が第１の番組の音声内容と同じであることを示す場合、第１の音声信号に基づく音声に代えて、第２の音声信号に基づく音声を再生する。再生部１５は、例えば、オーディオスイッチ１０９、コントローラ１１０、スピーカ１１５を含む。
【００４５】
ここで、比較条件は、第１の音声信号に基づく音声の再生タイミングと第２の音声信号に基づく音声の再生タイミングとの差の予測値を含んでもよい。
【００４６】
また、比較条件は、第１の音声信号に基づく音声の音量と第２の音声信号に基づく音声の音量との比の予測値を含んでもよい。
【００４７】
さらに、第１の番組情報は、第１の音声信号に基づく音声の特徴を示す第１の特徴情報を含み、もしくは、第２の番組情報は、第２の音声信号に基づく音声の特徴を示す第２の特徴情報を含んでもよい。この場合、比較条件は、第１の特徴情報もしくは第２の特徴情報に基づく比較条件を含んでもよい。
【００４８】
また、第１の番組の放送により送信される情報には、第１の番組情報が含まれ、もしくは、第２の番組の放送により送信される情報には、第２の番組情報が含まれてもよい。
【００４９】
次に、図３を参照して、番組情報について説明する。
【００５０】
番組情報は、ＲＤＳ情報やサービス関連情報であり、放送されている番組に関する種々の情報である。例えば、番組情報は、番組のプログラムＩＤを示す情報、番組を提供している放送局やサービスを示す情報、番組の放送に際して用いられているエンコードタイプ（圧縮方式）を示す情報、番組がどのような種類の音声であるのかを示すプログラムタイプを示す情報などを含むことができる。
【００５１】
図３に示すように、番組情報は、プログラムＩＤやエンコードタイプやプログラムタイプを示す情報を含むことができるが、他の情報を含んでいてもよい。図３は、プログラムＩＤがＤ２０１であり、エンコードタイプがＤＡＢであり、プログラムタイプがスピーチである例を示している。
【００５２】
次に、図４を参照して、比較条件について説明する。図４は、比較条件として、キャプチャ時間、遅延時間の初期値、タイムアウト時間、成功判断要素、試行回数を例示している。なお、比較条件を示す情報は、ＲＯＭ１１２やＲＡＭ１１３に記憶されているものとする。
【００５３】
図４（Ａ）は、キャプチャ時間とプログラムタイプとの関係を示す図である。キャプチャ時間は、音声信号の比較の際に、比較の対象となる時間の長さである。サンプリング周波数が一定である場合、キャプチャ時間により比較の対象となる音声データのサンプリング個数が決定される。プログラムタイプは、番組で放送されている音声の種類を示す。
【００５４】
ここで、比較される音声信号が表す音声の種類により、キャプチャ時間が調整されることが望ましい。例えば、比較される音声信号が表す音声のレベルの変動が大きいほど、短いキャプチャ時間での音声の比較が可能になると考えられる。従って、プログラムタイプがクラシックやスピーチのように音声のレベルの変動が小さかったり、無音状態が長く続く可能性のある番組であったりする場合、キャプチャ時間は比較的長い時間（例えば、５秒程度）に設定される。一方、プログラムタイプがロックやポップスのように音声のレベルの変動が大きかったり、無音状態がそれほど長く続く可能性の無い番組であったりする場合、キャプチャ時間は比較的短い時間（例えば、４秒程度）に設定される。
【００５５】
図４（Ｂ）は、遅延時間の初期値とエンコードタイプとの関係を示す図である。遅延時間の初期値は、音声の符号化（もしくは、音声の符号化と音声の復号化との双方）により生じると予測される遅延時間である。ここで、遅延時間の初期値の差が、一方の音声信号に与える遅延時間の初期値に設定される。なお、符号化（もしくは、音声の符号化と音声の復号化との双方）に時間を要するエンコードタイプであるほど、遅延時間の初期値が長く設定される。
【００５６】
例えば、符号化にほとんど時間を要さないＦＭでは、遅延時間の初期値は例えば０秒〜１秒程度に設定される。一方、符号化にある程度長い時間を要するＤＡＢやＤＡＢ＋では、遅延時間の初期値は例えば３秒程度に設定される。また、ＤＡＢやＤＡＢ＋よりも符号化に長い時間を要するＤＭＢでは、遅延時間の初期値は例えば４．５秒程度に設定される。
【００５７】
図４（Ｃ）は、タイムアウト時間とプログラムタイプとの関係を示す図である。タイムアウト時間は、音声信号の比較が開始されてから、音声信号の比較の失敗が確定するまでの時間である。但し、失敗が確定するまでの時間には、設定した比較時間内に比較結果が得られなかった場合にキャプチャ時間や比較時間を延長して処理する時間も含まれる。そして、音声信号の比較が開始されてからタイムアウト時間が経過するまでの間に、一度でも成功と判定されると、その音声信号の比較結果は成功となる。
【００５８】
ここで、比較される音声信号が表す音声の種類により、タイムアウト時間が調整されることが望ましい。例えば、比較される音声信号が表す音声のレベルの変動が大きいほど、短いタイムアウト時間での音声の比較でも問題がない（誤判定が生じにくい）と考えられる。従って、プログラムタイプがクラシックやスピーチのように音声のレベルの変動が小さかったり、無音状態が長く続く可能性のある番組であったりする場合、タイムアウト時間は比較的長い時間（例えば、１０秒程度）に設定される。一方、プログラムタイプがロックやポップスのように音声のレベルの変動が大きかったり、無音状態がそれほど長く続く可能性の無い番組であったりする場合、タイムアウト時間は比較的短い時間（例えば、６秒程度）に設定される。
【００５９】
図４（Ｄ）は、成功判断要素とプログラムタイプとの関係を示す図である。成功判断要素は、音声信号の比較の際の成功判断に必要な要素である。
【００６０】
ここで、比較される音声信号が表す音声の種類により、成功判断要素が調整されることが望ましい。例えば、プログラムタイプがクラシックのように音量による差異が判断しにくい場合、時間遅延のみ成功判断要素に含まれる。一方、プログラムタイプがスピーチ、ロック、ポップスのように音量による差異が判断しやすい場合、時間遅延と音量の差異とが成功判断要素に含まれる。
【００６１】
図４（Ｅ）は、試行回数とプログラムタイプとの関係を示す図である。試行回数は、比較結果が繰り返して失敗となる場合に、番組不一致の可能性ありと判断するまでに比較が試行される回数である。つまり、試行回数は、リトライ回数＋１である。
【００６２】
ここで、比較される音声信号が表す音声の種類により、試行回数を調整することができる。例えば、プログラムタイプがクラシック、ロック、ポップスのような番組は、キー局から提供される番組をそのままローカル局が放送する場合がほとんどである。従って、ＲＤＳ情報やサービス関連情報が示す番組と本来放送される番組との内容が異なる可能性は低い。よって、この場合は、より精度を高めるため試行回数は多く設定することが望ましい。一方、プログラムタイプがニュースなどの番組は、キー局が放送するニュースに差し替えて地域特有のニュースをローカル局が放送する場合がある。従って、この場合、ＲＤＳ情報やサービス関連情報が示す番組と本来放送される番組との内容が異なる可能性が、上述したクラシック、ロック、ポップスのような番組よりも高い。よって、この場合は、試行回数は少なく設定しても良い。
【００６３】
図４（Ｆ）は、試行回数とエンコードタイプとの関係を示す図である。試行回数は、比較される音声信号が表す音声の種類により調整する代わりに、エンコードタイプにより調整することができる。例えば、ＦＭのように音声信号の比較結果が失敗となり易いと考えられる場合、試行回数は多く設定されることが望ましい。一方、ＤＡＢやＤＡＢ＋のように音声信号の比較結果が失敗となりにくいと考えられる場合、試行回数は少なく設定されることが望ましい。また、ＤＭＢのように音声信号の比較結果が非常に失敗となり易いと考えられる場合、試行回数は無限に設定されることが望ましい。
【００６４】
次に、図５と図６とを参照して、スピーカ１１５から出力される音声を切り替える際に、音量レベルと遅延時間を調整する手法について説明する。番組の放送の供給元を切り替える場合、番組の音声内容が同じであっても、音声のエンコードが開始されてから音声が再生されるまでの遅延時間や再生される音声の音量レベルが異なることがある。このため、番組の放送の供給元を切り替える際、切り替え後の音声の遅延時間や音量レベルが、切り替え前の音声の遅延時間や音量レベルに合わせて調整されることが望ましい。以下、切り替え前の音声がデジタル放送による音声であり、切り替え後の音声がＦＭ放送による音声である場合について説明する。なお、この場合、切り替え後の音声であるＦＭ放送による音声を調整することになる。
【００６５】
図５（Ａ）は、現在時刻からの経過時間とデジタル音声信号の電圧レベルとの関係を示すグラフである。ここで、グラフの横軸は、現在時刻からの経過時間を示し、グラフの縦軸は、デジタルデコーダ１０６から出力されたデジタル音声信号の電圧レベルを示す。なお、図５（Ａ）、図５（Ｂ）、図６（Ａ）、図６（Ｂ）においては、横軸の左端の電圧レベルは、現在時刻における音声信号の電圧レベルを示し、右側の電圧レベルほど古い時刻における音声信号の電圧レベルを示す。
【００６６】
図５（Ｂ）は、現在時刻からの経過時間と補正前のＦＭ音声信号の電圧レベルとの関係を示すグラフである。ここで、グラフの横軸は、現在時刻からの経過時間を示し、グラフの縦軸は、ＦＭチューナ１０２から出力されたＦＭ音声信号の電圧レベルを示す。図５（Ｂ）に示すように、補正前のＦＭ音声信号は、デジタル音声信号よりも、音量レベルが小さく遅延時間が短くなっている。このため、補正前のＦＭ音声信号の音量レベルを大きくするとともに、補正前のＦＭ音声信号の遅延時間を大きくする。
【００６７】
図６（Ａ）は、現在時刻からの経過時間と遅延時間の調整後のＦＭ音声信号の電圧レベルとの関係を示すグラフである。ここで、グラフの横軸は、現在時刻からの経過時間を示し、グラフの縦軸は、ＦＭチューナ１０２から出力されたＦＭ音声信号を遅延させたＦＭ音声信号の電圧レベルを示す。図６（Ａ）に実線で示すように、遅延時間の調整後のＦＭ音声信号は、遅延時間の調整前のＦＭ音声信号よりも、早い時刻にエンコードされた音声を示す信号となっている。なお、図６（Ａ）において、遅延時間の調整前のＦＭ音声信号を破線で示している。また、遅延時間の調整後のＦＭ音声信号が示す音声は、デジタル音声信号が示す音声と同じ時刻にエンコードされた音声となる。
【００６８】
図６（Ｂ）は、現在時刻からの経過時間と遅延時間及び音量の調整後のＦＭ音声信号の電圧レベルとの関係を示すグラフである。ここで、グラフの横軸は、現在時刻からの経過時間を示し、グラフの縦軸は、遅延時間の調整後のＦＭ音声信号の音量を調整したＦＭ音声信号、つまり、オーディオバッファ１０３から出力されるＦＭ音声信号の電圧レベルを示す。図６（Ｂ）に実線で示すように、音量の調整後のＦＭ音声信号は、音量の調整前のＦＭ音声信号よりも、大きい音量の音声を示す信号となっている。なお、図６（Ｂ）において、音量の調整前のＦＭ音声信号を破線で示している。また、音量の調整後のＦＭ音声信号が示す音声は、デジタル音声信号が示す音声と同じ音量レベルの音声となる。
【００６９】
なお、図５（Ａ）と図６（Ｂ）におけるＴｃは、ＤＡＢ、ＤＡＢ＋、もしくはＤＭＢにおいてＦＭとの切替を行う際のキャプチャ時間を示している。このように、デジタル音声信号からキャプチャされる音声データと、遅延時間及び音量の調整後のＦＭ音声信号からキャプチャされる音声データとは、遅延初期値によってあらかじめ予想した遅延時間にて遅延処理を行った後の、同じ時間帯にエンコードされた音声を示すデータとなる。また、逆に遅延処理を行なわず、遅延初期値によりキャプチャのタイミングを調整し個々にキャプチャした音声データでもよい。従って、デジタル音声信号が示す音声内容とＦＭ音声信号が示す音声内容とが一致しているか否かは、キャプチャしたデジタル音声信号とキャプチャしたＦＭ音声信号との波形比較により実現可能である。また、この遅延初期値の精度が高ければ高いほど、比較処理の精度が増す。
【００７０】
次に、図７に示すフローチャートを参照して、受信装置１００が実行する受信制御処理について説明する。なお、受信装置１００は、電源が投入されている間、図７に示す受信制御処理の実行を繰り返すものとする。
【００７１】
まず、ＣＰＵ１１１は、予め定められた供給元から番組の放送を受信する（ステップＳ１０１）。具体的には、ＣＰＵ１１１は、デジタルデコーダ１０６にサービスを指定する。すると、デジタルデコーダ１０６は、デジタルチューナ１０５にサービスを指定する。一方、デジタルチューナ１０５は、デジタルアンテナ１０４から供給された電気信号から、指定されたサービスの音声内容を示すデジタルＩＦ信号を生成する。そして、デジタルチューナ１０５は、生成したデジタルＩＦ信号をデジタルデコーダ１０６に供給する。デジタルデコーダ１０６は、供給されたデジタルＩＦ信号を復号化して得られるデジタル音声信号をオーディオバッファ１０７に供給する。
【００７２】
ＣＰＵ１１１は、ステップＳ１０１の処理を完了すると、受信感度を検出する処理を開始する（ステップＳ１０２）。例えば、デジタルデコーダ１０６が符号化されたデジタル音声信号における復調時のエラーカウント数や、Ｓ／Ｎ比を示す情報を内蔵するメモリに記憶している場合、ＣＰＵ１１１は、このメモリに記憶されたエラーカウント数やＳ／Ｎ比を参照して、現在受信中の番組の放送の受信感度を検出することができる。なお、ＣＰＵ１１１は、例えば、エラーカウント値が所定の閾値未満である場合に受信感度が良好であると判別し、エラーカウント値が所定の閾値以上である場合に受信感度が良好でないと判別する。この受信感度検出処理は、これ以降実行する各ステップと並行して常に繰り返し実行されているものとする。そして、常に受信感度が良好であるか否かを監視し、受信感度に変化があった場合、ＣＰＵ１１１が実行中の処理に対して割り込み的な処理を実行する。具体的な処理内容は後述する。
【００７３】
次に、ＣＰＵ１１１は、ステップＳ１０２の処理を完了すると、現在受信中の番組の番組情報を取得する（ステップＳ１０３）。ここで、デジタルデコーダ１０６は、デジタルチューナ１０５から供給されたデジタルＩＦ信号から、指定されたサービスの番組の音声内容を示すデジタル音声信号と、サービス関連情報とを抽出することができる。この場合、ＣＰＵ１１１は、デジタルデコーダ１０６が抽出したサービス関連情報を、現在受信中の番組の番組情報として取得することができる。なお以降、現在受信中の番組を切替前の番組と呼ぶ。
【００７４】
ＣＰＵ１１１は、ステップＳ１０３の処理を完了すると、切替後の供給元を選択する（ステップＳ１０４）。切替後の供給元は、切替前の供給元とは異なる供給元であって、切替前の供給元と同じ音声内容の番組の放送を提供する放送局もしくはサービスである。なお、ＣＰＵ１１１が、切替後の供給元を特定する手法は任意である。例えば、ＣＰＵ１１１は、ＦＭチューナ１０２に指定する受信周波数を切り替えながらＦＭチューナ１０２からＲＤＳ情報を取得し、取得したＲＤＳ情報と、デジタルデコーダ１０６から取得したサービス関連情報とに基づいて、切替後の供給元を特定することができる。
【００７５】
もしくは、ＣＰＵ１１１は、ＲＡＭ１１３に記憶された番組表の情報や、インターフェース１１４を介して外部の装置から取得した番組表の情報などに基づいて、切替後の供給元を特定してもよい。なお、切替後の供給元の候補が複数存在する場合、ＣＰＵ１１１は、切替後の供給元の候補の中から最適な１つの供給元を選択する。本実施形態では、１つのＦＭ放送局から提供された番組と、デジタル放送による１つのサービスにより提供される１つの番組とを受信可能である。本実施形態では、切替前の供給元がデジタル放送による１つのサービスであるため、切替後の供給元は１つのＦＭ放送局となる。一方、切替前の供給元が１つのＦＭ放送局である場合、切替後の供給元はデジタル放送による１つのサービスとなる。
【００７６】
ＣＰＵ１１１は、ステップＳ１０４の処理を完了すると、比較条件決定処理を実行する（ステップＳ１０５）。比較条件決定処理については、図８に示すフローチャートを参照して、詳細に説明する。
【００７７】
まず、ＣＰＵ１１１は、切替前の供給元のエンコードタイプを特定する（ステップＳ２０１）。例えば、ＣＰＵ１１１は、デジタルデコーダ１０６から取得したサービス関連情報に基づいて、切替前の供給元のエンコードタイプを特定することができる。
【００７８】
ＣＰＵ１１１は、ステップＳ２０１の処理を完了すると、切替後の供給元のエンコードタイプを特定する（ステップＳ２０２）。例えば、ＣＰＵ１１１は、ＦＭチューナ１０２から供給されたＲＤＳ情報に基づいて、切替後の供給元のエンコードタイプを特定することができる。なお、切替後の供給元がＦＭ放送局である場合、エンコードタイプを特定せずに、切替後の供給元がＦＭ放送局であることを特定すればよい。
【００７９】
ＣＰＵ１１１は、ステップＳ２０２の処理を完了すると、エンコードタイプに依存する比較条件を決定する（ステップＳ２０３）。例えば、ＣＰＵ１１１は、切替前の供給元のエンコードタイプと切替後の供給元のエンコードタイプとのうちの少なくとも一方に基づいて、遅延時間の初期値、試行回数を決定する。
【００８０】
ＣＰＵ１１１は、ステップＳ２０３の処理を完了すると、切替前の供給元のプログラムタイプを特定する（ステップＳ２０４）。例えば、ＣＰＵ１１１は、デジタルデコーダ１０６から取得したサービス関連情報に基づいて、切替前の供給元のプログラムタイプを特定することができる。
【００８１】
ＣＰＵ１１１は、ステップＳ２０４の処理を完了すると、切替後の供給元のプログラムタイプを特定する（ステップＳ２０５）。例えば、ＣＰＵ１１１は、ＦＭチューナ１０２から供給されたＲＤＳ情報に基づいて、切替後の供給元のプログラムタイプを特定することができる。
【００８２】
ＣＰＵ１１１は、ステップＳ２０５の処理を完了すると、プログラムタイプに依存する比較条件を決定する（ステップＳ２０６）。例えば、ＣＰＵ１１１は、切替前の供給元のプログラムタイプと切替後の供給元のプログラムタイプとのうちの少なくとも一方に基づいて、キャプチャ時間、成功判断要素、試行回数を決定する。なお、切替前の供給元のプログラムタイプと切替後の供給元のプログラムタイプとは基本的には一致するため、ＣＰＵ１１１は、サービス関連情報とＲＤＳ情報とのいずれか一方に基づいて、プログラムタイプを特定することができる。
【００８３】
ＣＰＵ１１１は、ステップＳ２０６の処理を完了すると、ステップＳ１０５の比較条件決定処理を完了する。
【００８４】
ＣＰＵ１１１は、ステップＳ１０５の処理を完了すると、比較処理を実行する（ステップＳ１０６）。比較処理については、図９に示すフローチャートを参照して、詳細に説明する。
【００８５】
まず、ＣＰＵ１１１は、切替後の供給元から番組の放送の受信を開始する（ステップＳ３０１）。具体的には、ＣＰＵ１１１は、切替後の供給元に対応する受信周波数をＦＭチューナ１０２に指定し、ＦＭチューナ１０２に番組の放送の受信を開始させる。一方、ＦＭチューナ１０２は、受信した放送の音声内容を示すＦＭ音声信号をオーディオバッファ１０３に供給する処理を開始する。
【００８６】
ＣＰＵ１１１は、ステップＳ３０１の処理を完了すると、切替後の番組情報を取得する（ステップＳ３０２）。なお、ＣＰＵ１１１は、ＦＭチューナ１０２から供給されるＲＤＳ情報を、切替後の番組情報として取得することができる。
【００８７】
ＣＰＵ１１１は、ステップＳ３０２の処理を完了すると、遅延時間と音量とを初期値を用いて調整する（ステップＳ３０３）。具体的には、ＣＰＵ１１１は、遅延時間の初期値と音量比の初期値とを含む比較条件をコンパレータ１０８に供給する。一方、コンパレータ１０８は、供給された比較条件に含まれる遅延時間の初期値と音量比の初期値とに基づいて、オーディオバッファ１０３から供給されるＦＭ音声信号の遅延時間と音量とを調整する。なお、遅延時間の初期値や音量比の初期値は、切替前の供給元のエンコードタイプやプログラムタイプと、切替後の供給元のエンコードタイプやプログラムタイプとに対応づけられて、ＲＡＭ１１３などに記憶されているものとする。
【００８８】
ＣＰＵ１１１は、ステップＳ３０３の処理を完了すると、切替前の音声信号と切替後の音声信号とを比較する（ステップＳ３０４）。具体的には、ＣＰＵ１１１は、デジタル音声信号と、遅延時間と音量とが調整されたＦＭ音声信号とを、コンパレータ１０８に比較させる。一方、コンパレータ１０８は、比較結果を、ＣＰＵ１１１に供給する。なお、比較結果は、２つの音声信号が一致したか否か、一致したときの遅延時間、一致したときの音量比などを含むことができる。
【００８９】
ＣＰＵ１１１は、ステップＳ３０４の処理を完了すると、２つの音声信号が一致したか否かを判別する（ステップＳ３０５）。なお、ＣＰＵ１１１は、コンパレータ１０８から供給された比較結果に基づいて、２つの音声信号が一致したか否かを判別することができる。ＣＰＵ１１１は、２つの音声信号が一致したと判別した場合（ステップＳ３０５：ＹＥＳ）、比較結果を成功に決定する（ステップＳ３０６）。
【００９０】
一方、ＣＰＵ１１１は、２つの音声信号が一致しないと判別すると（ステップＳ３０５：ＮＯ）、試行回数を超えたか否かを判別する（ステップＳ３０７）。
【００９１】
ＣＰＵ１１１は、試行回数を超えたと判別した場合（ステップＳ３０７：ＹＥＳ）、番組内容が不一致となっている可能性があるとして、比較結果を番組不一致の可能性ありと決定する（ステップＳ３０８）。ＣＰＵ１１１は、ステップＳ３０６又はステップＳ３０８の処理を完了すると、比較結果を履歴として保存する（ステップＳ３０９）。なお、ＣＰＵ１１１は、比較結果とともに、成功した場合の遅延時間、成功した場合の音量比などの情報を、切替前の供給元のエンコードタイプやプログラムタイプと、切替後の供給元のエンコードタイプやプログラムタイプと、に対応づけて、ＲＡＭ１１３などに履歴として記憶することができる。また、比較結果が番組不一致の可能性ありとなった場合、切替後の供給先の番組内容が切替前の供給先の番組内容と同一でない可能性があるため、別の同一内容の番組の再検索処理を行うこともできる。
【００９２】
なお、ＣＰＵ１１１は、ＲＡＭ１１３などに記憶された履歴を、遅延時間の初期値や音量比の初期値として利用することができる。また、ＣＰＵ１１１は、切替後の送信元の候補から１つの送信元を選択する際、ＲＡＭ１１３などに記憶された履歴を参照することにより、音声信号の比較結果が成功となりやすい送信元を特定することができる。ＣＰＵ１１１は、ステップＳ３０９の処理を完了すると、ステップＳ１０６の比較処理を完了する。
【００９３】
一方、ＣＰＵ１１１は、試行回数を超えていないと判別した場合（ステップＳ３０７：ＮＯ）、遅延時間と音量比とを再調整する（ステップＳ３１０）。例えば、ＣＰＵ１１１は、コンパレータ１０８に遅延時間と音量比とを再調整する旨を指示する。一方、コンパレータ１０８は、指示に従って、ＦＭ音声信号の遅延時間と音量とを再調整する。ＣＰＵ１１１は、ステップＳ３１０の処理を完了すると、ステップＳ３０４に処理を戻す。
【００９４】
なお、例えば図４（Ｆ）のＤＭＢの場合などは、試行回数が無限となっている。従って条件によっては、ステップＳ３０４、Ｓ３０５、Ｓ３０７、Ｓ３１０の処理を無限に繰り返す状態となる。この状態をループ状態と呼ぶ。この状態のときでも、受信感度が良好の場合は、現在受信中の番組の受信を継続することになる。一方、受信感度が悪化した場合は、このループ状態と受信感度悪化の状態との組み合わせによって決められた処理を実行する。
【００９５】
ＣＰＵ１１１は、ステップＳ１０６の処理を完了すると（またはループ状態になっている場合はステップＳ１０６の処理と並行して）、比較結果が番組不一致の可能性ありであるか否かを判別する（ステップＳ１０７）。ＣＰＵ１１１は、比較結果が番組不一致の可能性ありと判別すると（ステップＳ１０７：ＹＥＳ）、ステップＳ１０４に処理を戻す。なお、ＣＰＵ１１１は、ステップＳ１０４では、別の供給元を選択し、ステップＳ１０５〜ステップＳ１０７の処理を再度実行する。
【００９６】
一方、ＣＰＵ１１１は、比較結果が番組不一致の可能性はない（または比較結果がなくループ状態となっている）と判別すると（ステップＳ１０７：ＮＯ）、受信感度が良好であるか否かを判別する（ステップＳ１０８）。
【００９７】
ＣＰＵ１１１は、受信感度が良好であると判別した場合（ステップＳ１０８：ＹＥＳ）、ステップＳ１０２に戻って現在受信中の番組の受信を継続する。一方、ＣＰＵ１１１は、受信感度が良好でないと判別した場合（ステップＳ１０８：ＮＯ）、比較結果が成功であるか否かを判別する（ステップＳ１０９）。ＣＰＵ１１１は、比較結果が成功であると判別した場合（ステップＳ１０９：ＹＥＳ）、供給元をシームレスに切り替える（ステップＳ１１０）。
【００９８】
具体的には、ＣＰＵ１１１は、オーディオスイッチ１０９に切替指示信号を供給し、供給元を切り替えるように指示する。一方、オーディオスイッチ１０９は、指示に従って供給元を切り替える。具体的には、オーディオスイッチ１０９は、オーディオバッファ１０７から供給されるデジタル音声信号に代えて、オーディオバッファ１０３から供給されるＦＭ音声信号をスピーカ１１５に供給する。なお、オーディオバッファ１０３から供給されるＦＭ音声信号は、遅延時間と音量とが、オーディオバッファ１０７から供給されるデジタル音声信号に合わせて調整されているため、音声を途切れなくシームレスに切替ることができる。ＣＰＵ１１１は、ステップＳ１１０の処理を完了すると、ステップＳ１０２に処理を戻す。
【００９９】
一方、ＣＰＵ１１１は、比較結果が成功でないと判別した場合（ステップＳ１０９：ＮＯ）、もしくは前述したループ状態の場合は、切り替え前後に無音状態を挿入して供給元を切り替える（ステップＳ１１１）。この場合、切り替え前後で番組が異なるので音声も同調していない。従って、すぐに音声を切り換えてしまうと聴取者に違和感を与えてしまう。このため意図的に無音期間を挿入することで、聴取者に違和感を与えずに番組の切り替えを行うことができる。
【０１００】
ＣＰＵ１１１は、ステップＳ１１１の処理を完了すると、ステップＳ１０２に処理を戻す。なお、ステップＳ１０７からステップＳ１１１までの処理は、前述したように並行して繰り返し実行されている受信感度検出処理において受信感度に変化があった場合、ＣＰＵ１１１が本フローチャートのどの処理を実行しているときでも割り込み的に実行される。
【０１０１】
以上説明したように、本実施形態によれば、番組の放送の供給元を切り替える際に、切替前の音声信号と切替後の音声信号とを、精度良く短時間で比較することができる。なお、上記実施例では理解を容易にするために音声信号比較の際のタイムアウトに関する処理については説明しなかったが、図４（Ｃ）に記載したように、タイムアウト時間をプログラムタイプ毎に変更するようすると更に良い。
【０１０２】
（変形例）
本発明は、上記実施形態に開示したものに限られない。
【０１０３】
上記実施形態では、受信装置が、ＦＭ放送を受信可能な１つの受信系統と、デジタル放送を受信可能な１つの受信系統と、を備える例を示した。本発明において、受信装置が備える受信系統は、この例に限定されない。例えば、受信装置が、ＡＭ放送を受信可能な１つの受信系統と、デジタル放送を受信可能な１つの受信系統と、を備えてもよい。また、受信装置が、同様の受信系統を２つ備えてもよい。例えば、受信装置は、デジタル放送を受信可能な２つの受信系統を備えていてもよい。また、本発明において、受信装置が備える受信系統は３つ以上であってもよい。
【０１０４】
上記実施形態では、受信装置が、放送される番組の内容が音声であるラジオ放送を受信する例を示した。本発明において、受信装置は、放送される番組の内容が音声と画像とを含むテレビジョン放送を受信してもよい。
【０１０５】
上記実施形態では、基本的に、番組情報と比較条件との関係が予め定められている例を示した。本発明において、比較結果に応じて、番組情報と比較条件との関係が更新されるようにしてもよい。
【０１０６】
上記実施形態では、受信装置１００がＣＰＵ１１１とＲＯＭ１１２とＲＡＭ１１３とを備え、ＣＰＵ１１１が、ＲＯＭ１１２に記憶されているプログラムに従って、ソフトウェアにより受信制御処理が実現される例を示した。しかし、受信装置１００が実行する受信制御処理は、ソフトウェアにより実現されるものに限定されない。例えば、受信装置１００は、マイクロコンピュータ、ＦＰＧＡ（Field Programmable Gate Array）、ＰＬＤ（Programmable Logic Device）、ＤＳＰ（Digital Signal Processor）などにより構成されてもよい。
【０１０７】
なお、本発明に係る受信装置は、専用のシステムによらず、通常のコンピュータシステムを用いても実現可能である。例えば、コンピュータに、上記動作を実行するためのプログラムを、フレキシブルディスク、ＣＤ−ＲＯＭ（Compact Disk-Read Only Memory）、ＤＶＤ（Digital Versatile Disk）、ＭＯ（Magneto Optical Disk）などのコンピュータ読み取り可能な記録媒体に記憶して配布し、これをコンピュータシステムにインストールすることにより、上述の処理を実行する受信装置を構成しても良い。さらに、インターネット上のサーバ装置が有するディスク装置等にプログラムを記憶しておき、例えば、搬送波に重畳させて、コンピュータにダウンロード等するものとしてもよい。
【符号の説明】
【０１０８】
１１  第１の受信部
１２  第２の受信部
１３  決定部
１４  比較部
１５  再生部
１００  受信装置
１０１  ＦＭアンテナ
１０２  ＦＭチューナ
１０３  オーディオバッファ
１０４  デジタルアンテナ
１０５  デジタルチューナ
１０６  デジタルデコーダ
１０７  オーディオバッファ
１０８  コンパレータ
１０９  オーディオスイッチ
１１０  コントローラ
１１１  ＣＰＵ
１１２  ＲＯＭ
１１３  ＲＡＭ
１１４  インターフェース
１１５  スピーカ
【図１】
2014072678.tif 000003
【図２】
2014072678.tif 000004
【図３】
2014072678.tif 000005
【図４】
2014072678.tif 000006
【図５】
2014072678.tif 000007
【図６】
2014072678.tif 000008
【図７】
2014072678.tif 000009
【図８】
2014072678.tif 000010
【図９】
2014072678.tif 000011